(57)【要約】      （修正有）【課題】部屋の壁面と床面との境界に取付けられる巾木、繋ぎ部材、コーナー部材、および巾木装置を提供する。【解決手段】巾木１ａ、１ｂ、１ｃは概略長方形断面の長尺材であって、正面には長手方向に延びる凹溝を設け、下端（底面）には床面から所定の高さに支持する為の支持部材５を取付けている。【選択図】図１
0003225624.tif 000002
【実用新案登録請求の範囲】
【請求項１】
部屋の壁面と床面との境界に取付けられる巾木において、該巾木は概略長方形断面の長尺材であって、正面には長手方向に延びる凹溝を設け、下端（底面）には床面から所定の高さに支持する為の支持部材を取付けたことを特徴とする巾木。
【請求項２】
上記支持部材は巾木下端に設けた篏合溝に嵌る嵌入片を水平な基板の上方に起立し、基板の下方には脚を延ばし、基板の正面側には係止片を下方に突出した請求項１記載の巾木。
【請求項３】
上記支持部材は巾木下端に設けた篏合溝に嵌る嵌入片を水平な基板の上方に起立し、基板の下方には湾曲可能な樹脂片を設け、基板の正面側には係止片を下方に突出した請求項１記載の巾木。
【請求項４】
部屋の壁面と床面との境界に取付けられて、下端（底面）には床面から所定の高さに支持部材にて支持された巾木であって、該巾木は直線状に延びる複数本の巾木継目部に取付け、該継目部に生じる隙間や段差を被覆する為の繋ぎ部材において、該繋ぎ部材は正面板と上面板を有すカギ形とし、正面板の裏側には巾木表面に形成した凹溝に嵌る嵌入片を設け、該嵌入片の上面及び下面には凹溝上面と下面に食い込むことが出来るノコ歯を形成し、さらに正面板の下端にはカギを設けたことを特徴とする繋ぎ部材。
【請求項５】
部屋の壁面と床面との境界に取付けられて、下端（底面）には床面から所定の高さに支持部材にて支持された巾木であって、巾木が垂直交わるコーナー部に取付けられ、該コーナー部に生じる隙間や段差を被覆する為のコーナー部材において、該コーナー部材は互いに垂直を成して交わる正面板と上面板を有すカギ形とし、正面板の裏側には巾木正面に形成した凹溝に嵌る嵌入片を設け、該嵌入片の上面及び下面には凹溝上面と下面に食い込むことが出来るノコ歯を形成し、さらに正面板の下端にはカギを設けたことを特徴とするコーナー部材。
【請求項６】
部屋の壁面と床面との境界に取付けられる巾木であって、巾木が垂直に交わる入隅には入隅コーナー部材を取付け、出隅には出隅コーナー部材を取付け、また直線状に延びて突き合わされる巾木の継目部には繋ぎ部材を取付けた巾木装置において、巾木は下端（底面）に設けた篏合溝に支持部材を取付けて床面から所定の高さに支持され、上記継目部に取付けられて巾木間に生じる隙間や段差を被覆する繋ぎ部材は正面板と上面板から成るカギ形を有し、正面板の背面には後方へ延びる嵌入片を設け、正面板の下端にはカギを形成し、嵌入片は巾木正面に設けた凹溝に嵌め、上記カギは巾木下端に取付けた支持部材の係止片に係止し、上記コーナーに取付けるコーナー部材は、互いに垂直を成して交わる正面板と上面板を有すカギ形とし、正面板の裏側には巾木正面に形成した凹溝に嵌る嵌入片を設け、該嵌入片の上面及び下面には凹溝上面と下面に食い込むことが出来るノコ歯を形成し、さらに正面板の下端には支持部材に設けた係止片に係止するカギを設けたことを特徴とする巾木装置。
【考案の詳細な説明】
【技術分野】
【０００１】
部屋の壁面及び床面に沿って巾木を配置する場合、本考案は床面との間に所定の間隔（隙間）を設けて巾木を支持する支持部材、巾木のコーナー部に取付けるコーナー部材、また、直線状に延びる継目部に取付ける繋ぎ部材、及び巾木装置に関するものである。
【背景技術】
【０００２】
部屋の壁面と床面との境界域の外観を良くする為に、また保護する為に巾木が取付けられている。巾木は一定の断面をした長尺材であり、背面を壁面に当接すると共に底面は床に面して固定される。したがって、該巾木によって床面と壁面との間に生じる隙間をカバーすることが出来る。
ところで、巾木を取付けた場合には隣り合って突き合わされる巾木間に隙間が生じ、この隙間を被覆す為にコーナー部にはコーナー部材が取付けられる。
また、大きな部屋であれば１本の巾木では足りず、直線状に延びる複数本の巾木を繋ぎ合わせる場合もあり、その為に各巾木の継目部に繋ぎ部材を介在することもある。
【０００３】
従来の巾木はその長さが約４ｍ程あり、部屋のコーナー部以外で巾木を繋ぎ合わせる必要性は殆どない。しかし、近年では運送上のコスト問題があり、一般に２ｍ程の長さの巾木が使われている。長さ２ｍの巾木であれば、部屋のコーナー部以外の直線部においても繋ぎ合わせることが必要になる。
巾木を直線部において繋ぎ合わせるには、ノコギリで切断した面が突き合わされるが、隙間なく突き合わせることは容易でなく、その為に継目部がカバー（被覆）される繋ぎ部材が取付けられる。
【０００４】
ところで、上記繋ぎ部材は接着剤又は両面テープにて取付けることが出来る。しかも、巾木を取付けた後で、継目部の外観が好ましくない場合に繋ぎ部材を取付けることが出来る。しかし、接着剤や両面テープを介して繋ぎ部材を巾木表面に取付ける場合、僅かな位置ズレによって外観が損なわれ、時には剥がれ落ちる場合もある。
【０００５】
図９（ａ）は部屋の壁面及び床面に面して取付けた巾木（イ）、（ロ）を表している。そして、巾木（イ）、と巾木（ロ）のコーナー部にはコーナー部材（ホ）が取付けられ、直線状に延びている巾木（ロ）、（ロ）の継目部には繋ぎ部材（ニ）を取付けている。
同図（ｂ）に示しているように、直線状に延びている巾木（ロ）、（ロ）の継目はノコギリで切断することで僅かな隙間（ハ）が介在し、この隙間（ハ）は繋ぎ部材（ニ）を取付けることでカバーすることが出来、巾木の外観が損なわれないようにしている。
【０００６】
ところで、同図（ｃ）には繋ぎ部材（ニ）の表面と裏面をそれぞれ表しているように、繋ぎ部材（ニ）は表面板（ヘ）と上面板（ト）を有したカギ型を成し、表面板（ヘ）の両側縁には垂直に屈曲した側片（チ）、（チ）を背面側へ突出している。そして、表面板（ヘ）の裏面には両面テープ（リ）が貼着されていて、この両面テープ（リ）を介して巾木（ロ）、（ロ）に貼着され、間に介在する隙間（ハ）が見えないように被覆することが出来る。
【０００７】
図１０（ａ）は直線状に延びている巾木（ロ）、（ロ）の継目部に繋ぎ部材（ニ）を取付けた場合を表している。（ｂ）は両巾木（ロ）、（ロ）の切口が正確に切断されている場合で、継目部には隙間を有していないが、（ｃ）のように切断が不正確であれば継目部に隙間（ハ）が形成される。
また、巾木（ロ）、（ロ）の下縁には軟質不陸調整材（ヌ）が設けられている。その為に床面に沿って取付けた巾木（ロ）、（ロ）は上下方向にバラ付きを生じ、継目部には段差が発生することがある。上記繋ぎ部材（ニ）は両巾木（ロ）、（ロ）間の継目部に生じた隙間並びに段差を被覆することが出来る。
【０００８】
ところで、接着剤や両面テープを介して繋ぎ部材を巾木表面に取付ける場合、隣り合う巾木の位置ズレ（段差）を繋ぎ部材にて是正することは容易でなく、時には取付けた繋ぎ部材が外れ落ちる場合もある。
直線状に延びる巾木継目部に取付ける繋ぎ部材に関する文献は存在しないが、巾木のコーナー部材に関しては、従来から文献に記載された色々な技術が知られている。
例えば、特開２０１８−１５０７２７号に係る「巾木のコーナー部材」は、壁との隙間発生を抑制することが出来、この巾木コーナー部材は可撓性を有し、互いに直交する方向に延びる側板部を設け、両側板部の間には面取り側板部を形成している。
【０００９】
実開平６−１５９２号に係る「巾木コーナー部材」は、入隅と出隅兼用の巾木コーナー部材である。
２つの方形面を断面Ｌ字型に接合して垂直面とする。この垂直面の下端部から、垂直面に囲まれた内側に向けて、出隅用鍔を水平かつＬ字状に形成する。一方、垂直面の上端部からは、外側に向けて、入隅用鍔を水平かつＬ字状に形成する。これらの垂直面と各鍔部との接合部には、垂直面と各鍔部とを切り離すための切り込みを形成している。
【００１０】
さらに、特開２００１−１２０７０号に係る「コーナーパッド及びそれが使用される幅木」は、 簡単な作業によりかつ外れにくく確実に固定できるコーナーパッドおよびそれが使用される幅木である。
上下方向の両端縁に設けた爪部を幅木Ｂの裏面および下面に係止させ、さらに爪部の基部先端に突設した係止突部を幅木Ｂに設けた溝とそれぞれ係合させ、裏面に突設した蟻形の突条を幅木Ｂの表面に凹設した蟻溝と嵌合させた状態で、幅木Ｂと一体に壁に固定している。
【００１１】
このように、巾木を繋ぐ繋ぎ部材及びコーナー部材に関しては、従来から色々知られている。
【特許文献１】特開２０１８−１５０７２７号に係る「巾木のコーナー部材」
【特許文献２】実開平６−１５９２号に係る「巾木コーナー部材」
【特許文献３】特開２００１−１２０７０号に係る「コーナーパッド及びそれが使用される幅木」
【考案の開示】
【考案が解決しようとする課題】
【００１２】
巾木装置は巾木、コーナー部材、繋ぎ部材で構成している。巾木は一般に長方形断面を有す長尺材として構成し、床面及び壁面に当接して配置されるが、床面がフラット面でなく凹凸化している場合には該巾木底を床面に全面当接することは出来ない。そして、同時にコーナー部材及び繋ぎ部材を該巾木に取付ける場合にも問題が生じる。
本考案が解決しようとする課題はこの問題点であり、床面がフラット面であっても、凹凸化した面であっても同じ巾木及びその他の同じコーナー部材、繋ぎ部材を使用して構成することが出来る巾木装置を提供する。
【課題を解決するための手段】
【００１３】
本考案に係る巾木装置は巾木底を床面に当接することなく、床面との間に隙間を設けて、該床面から所定の高さに支持するように取付けられる。巾木の下端（底面）には嵌合溝を有し、この篏合溝に支持部材を嵌めて巾木を床面から所定の高さに支持している。支持部材は基板を有して上方に嵌入片を起立し、基板の下方には脚を下方に延ばしている。  該支持部材は嵌入片が嵌合溝に嵌って取付けられる。脚の代わりに断面を円弧状に湾曲して変形可能な樹脂片を取付けることも出来る。そして、基板の正面側には下方へ突出する係止片を形成している。
【００１４】
巾木の正面には長手方向に延びる一定幅の凹溝を有し、巾木を直線状に繋いで配置した際に、隣り合う巾木の繋目部には繋ぎ部材が取付けられる。該繋ぎ部材は巾木の正面と上面を被覆することが出来るように、その形状は正面板と上面板を有すカギ形とし、正面板の背面（裏面）には嵌入片を設け、正面板の下端にはＬ形に屈曲したカギを設けている。繋ぎ部材は上記嵌入片を凹溝に嵌合し、カギを基板に設けた係止片に係止して取付けられる。
【００１５】
入隅及び出隅のコーナー部材は、上記繋ぎ部材が垂直を成して連結・一体化した部材であり、その縦断面は繋ぎ部材と同じく正面板と上面板を有している。
そして、正面板の背面（裏面）には巾木凹溝に嵌る嵌入片を突出し、また正面板の下端にはＬ形に屈曲したカギを設けている。
上記繋ぎ部材及びコーナー部材は嵌入片が凹溝に嵌ると共に、係止片にカギが係止することで取付けられる。
【考案の効果】
【００１６】
本考案の巾木はその下端（底面）に支持部材が取付けられ、その為に巾木下端は床面との間に隙間が設けられる。支持部材は起立する嵌入片を巾木下端に設けた嵌合溝に嵌ることで簡単に取付けることが出来、床面が平坦である場合には下方に設けた脚にて巾木を適度な高さに支えることが出来る。一方、床面がフラットでなく凹凸化している場合には、下端に設けた軟質樹脂片が当接して床面との間に隙間が生じないように成っている。
【００１７】
そして、繋ぎ部材は正面板と上面板を有したカギ形であり、該繋ぎ部材を巾木の継目部に取付けるならば、巾木間に生じる隙間、段差、又は欠けを塞ぐことが出来る。繋ぎ部材は正面板の裏面には後方へ突出した嵌入片が巾木表面の凹溝に嵌ることで簡単に取付け出来る。そして、繋ぎ部材の下端に設けたカギを支持部材の係止片に係止することで、繋ぎ部材は外れ難く安定して取付けられる。
【００１８】
コーナー部材も繋ぎ部材と同じように、正面板の裏面に突出した嵌入片を凹溝に嵌めると共に、正面板の下端に設けたカギを支持部材の係止片に係止することで簡単にしかも安定して取付け出来る。
本考案の巾木装置は巾木を床面上に直接載置することなく支持部材によって支持することで、床面との間に隙間が形成される。したがって、床面がフラット（平坦面）であっても、また凹凸化した面であっても、同じ巾木を用いて配置することが出来る。すなわち、床面の状態に応じて別々の巾木を用いる必要はなく、その為に、巾木のコスト並びに据え付け作業は簡単で安くなる。
【図面の簡単な説明】
【００１９】
【図１】コーナー部材と繋ぎ部材介して巾木を繋いだ巾木装置を示す実施例。
【図２】コーナー部材と繋ぎ部材介して巾木を繋いだ巾木装置を示す他の実施例。
【図３】（ａ）は巾木と巾木下端に取付けられる脚を備えた支持部材、（ｂ）は巾木と巾木下端に取付けられる樹脂片を備えた支持部材。
【図４】（ａ）は脚を備えた支持部材を取付けた巾木、（ｂ）は樹脂片を備えた支持部材を取付けた巾木。
【図５】（ａ）は凹凸がある床面に配置した巾木、（ｂ）はフラットな床面に配置した巾木。
【図６】巾木の継目部に繋ぎ部材を取付けた場合。
【図７】巾木の継目部に繋ぎ部材を取付けた縦断面図。
【図８】（ａ）は繋ぎ部材を示す具体例、（ｂ）は（ａ）のＡ部拡大図。
【図９】（ａ）は入隅コーナー部材と繋ぎ部材を用いて繋がれた巾木装置の具体例、（ｂ）は隣り合う巾木の間に隙間を有す場合、（ｃ）は繋ぎ部材の具体例。
【図１０】（ａ）は巾木下縁に軟質樹脂を備えた巾木を繋ぎ部材にて繋いだ実施例、（ｂ）は両巾木が隙間なく突き合わされている状態、（ｃ）は両巾木間に隙間を有している場合。
【考案を実施するための形態】
【００２０】
図１は本考案に係る巾木装置を示す実施例であり、同図の１ａ，１ｂ，１ｃは巾木、２は繋ぎ部材、３は入隅コーナー部材、４は出隅コーナー部材、５は支持部材をそれぞれ表している。巾木１ａ，１ｂ，１ｃは壁面６に背面を当接して固定され、巾木下端（底面）は床面７に接することなく上記支持部材５にて支持され、その為に巾木１ａ，１ｂ，１ｃは床面７との間に隙間８を形成している。
【００２１】
巾木１ａと巾木１ｂの間には入隅コーナー部材３が取付けられ、巾木１ａと巾木１ｂとの間に生じる隙間や段差、及び角に発生する欠けなどを被覆することが出来る。また直線状に延びる巾木１ｂ，１ｂ間には繋ぎ部材２が取付けられ、隣り合う巾木１ｂ，１ｂ間の隙間や段差を被覆し、さらに巾木１ｂと巾木１ｃとの間には出隅コーナー部材４を取付けている。
【００２２】
図２は本考案の巾木装置を示す他の実施例であり、基本的な形態は前記図１の巾木装置と同じである。図１の巾木装置は、床面７がフラット（平坦面）であるが、図２の巾木装置は床面９がフラットでなく、凹凸面と成っている。その為に、巾木下端に取付けられる支持部材１０には凹凸化した床面９になじむことが出来る樹脂片を取付けている。該樹脂片は軟質樹脂製であって、円弧状に湾曲した断面を有し、床面の凹凸になじんで変形することが出来る。
【００２３】
図３は巾木１と支持部材５，１０が分離している場合の縦断面を表している。巾木１は正面１１に凹溝１２を有し、下端１３には篏合溝１４を形成し、これら凹溝１２及び篏合溝１４は巾木１に沿って連続して延びている。
下端に設けている篏合溝１４には支持部材５，１０が取付けられる。支持部材５，１０は基板１５を有し、該基板１５から嵌入片１６が上方へ起立し、基板１５の下方には下方へ延びる脚１７を設け、また基板１５の正面側には下方へ突出する係止片１８を形成している。
一方の支持部材１０は、脚１７の代わりに凹凸化する床面になじむように変形可能な樹脂片１９を設けている。
【００２４】
図４は支持部材５，１０を巾木下端に設けた篏合溝１４，１４に嵌入片１６，１６が嵌って取付けた場合を表している。（ａ）は巾木１の下端に脚１７が突出し、（ｂ）は巾木１の下端に湾曲した樹脂片１９を有している。脚１７はフラットな床面７に載置されて巾木１を支持し、樹脂片１９は凹凸化している床面９になじんで該巾木１を支持することが出来る。
上記篏合溝１４は一定幅で長手方向へ延びる溝であるが、この篏合溝１４に嵌る嵌入片１６が外れないように、嵌入片１６は両側にノコ歯が形成されている。嵌入片１６が篏合溝１４に嵌る場合にノコ歯は溝面に食い込み、外れないように固定される。
【００２５】
図５は巾木１を取付けた場合の縦断面を示す実施例である。巾木１の背面は壁面６に当接し、下端に取付けた支持部材５，１０は床面７，９に載って巾木１を支えている。支持部材５の脚１７はフラットな床面７に当接し、支持部材１０の樹脂片１９は凹凸化した床面９に当接し、凹凸面になじんで適度に変形することが出来る。
（ａ）は凹凸した床面９に巾木１を載置している場合の断面図、（ｂ）はフラットな床面７に巾木１が載置している場合の断面図である。
【００２６】
図６は直線状に延びる巾木１ｂ，１ｂの継目部に繋ぎ部材２を取付けた場合を示している。該繋ぎ部材２は隣り合う巾木１ｂ，１ｂの継目部に取付けられ、間に生じる隙間や段差を被覆することが出来る。
図７は繋ぎ部材２が取付けられる箇所の縦断面を表している。繋ぎ部材２は巾木１に取付けられるが、巾木１の正面１１と上面２０が被覆され、その為に繋ぎ部材２は正面板２１と上面板２２を有している。
【００２７】
図８は繋ぎ部材２を示す実施例であり、正面図、左側面図、右側面図、平面図、及び底面図を表している。繋ぎ部材２はカギ形を成して正面板２１、上面板２２を有し、正面板２１の背面（裏面）には４枚の嵌入片２３，２３・・・が後方へ延びている。嵌入片２３はＡ部拡大図を（ｂ）に示しているように、ノコ歯２５，２５・・・を形成している。
図８に示す繋ぎ部材２は４枚の嵌入片２３，２３・・・を有しているが、正面板２１の全幅を有すブロック体として形成することも出来る。
【００２８】
正面板２１の下端にはＬ形をしたカギ２４を設けている。繋ぎ部材２を巾木１に取付ける場合、上記嵌入片２３，２３・・・は巾木正面に設けた凹溝に嵌合すると共にノコ歯２５，２５・・・が溝面に食い込み、また、下端に設けているＬ形カギ２４は支持部材５，１０の基板正面に形成している係止片１８に係止する。すなわち、嵌入片２３，２３・・・とカギ２４とが巾木１に固定されることで、外れることなく安定して取付けられる。
巾木１は支持部材５，１０に支持されて基板１５は床面７，９との間に隙間８を残し、その為に繋ぎ部材２のカギ２４は支持部材５，１０に設けている係止片１８に係止することが出来る。
【００２９】
図１、図２に示した巾木装置の入隅コーナー部材３及び出隅コーナー部材４は、図８に示す繋ぎ部材２を垂直に連結して一体化したものである。垂直に交わる正面板の上端には水平を成す上面板を有し、そして正面板の背面（裏面）には嵌入片を後方へ延ばしている。さらに、正面板の下端にはＬ形に屈曲したカギを有している。
【符号の説明】
【００３０】
１   巾木
２   繋ぎ部材
３   入隅コーナー部材
４   出隅コーナー部材
５   支持部材
６   壁面
７   床面
８   隙間
９   床面
10   支持部材
11   正面
12   凹溝
13   下端
14   嵌合溝
15   基板
16   嵌入片
17   脚
18   係止片
19   樹脂片
20   上面
21   正面板
22   上面板
23   嵌入片
24   カギ
25   ノコ歯
【図１】
0003225624.tif 000003
【図２】
0003225624.tif 000004
【図３】
0003225624.tif 000005
【図４】
0003225624.tif 000006
【図５】
0003225624.tif 000007
【図６】
0003225624.tif 000008
【図７】
0003225624.tif 000009
【図８】
0003225624.tif 000010
【図９】
0003225624.tif 000011
【図１０】
0003225624.tif 000012
【手続補正書】
【提出日】令和2年1月17日(2020.1.17)
【手続補正１】
【補正対象書類名】実用新案登録請求の範囲
【補正対象項目名】全文
【補正方法】変更
【補正の内容】
【実用新案登録請求の範囲】
【請求項１】
部屋の壁面と床面との境界に取付けられる巾木において、該巾木は概略長方形断面の長尺材であって、正面には長手方向に延びる凹溝を設け、下端（底面）には床面から所定の高さに支持する為の支持部材を取付けたことを特徴とする巾木。
【請求項２】
上記支持部材は巾木下端に設けた篏合溝に嵌る嵌入片を水平な基板の上方に起立し、基板の下方には脚を延ばし、基板の正面側には係止片を下方に突出した請求項１記載の巾木。
【請求項３】
上記支持部材は巾木下端に設けた篏合溝に嵌る嵌入片を水平な基板の上方に起立し、基板の下方には湾曲可能な樹脂片を設け、基板の正面側には係止片を下方に突出した請求項１記載の巾木。
【請求項４】
部屋の壁面と床面との境界に取付けられて、下端（底面）には床面から所定の高さに支持部材にて支持された巾木であって、該巾木は直線状に延びる複数本の巾木継目部に取付け、該継目部に生じる隙間や段差を被覆する為の繋ぎ部材において、該繋ぎ部材は正面板と上面板を有すカギ形とし、正面板の裏側には巾木表面に形成した凹溝に嵌る嵌入片を設け、該嵌入片の上面及び下面には凹溝上面と下面に食い込むことが出来るノコ歯を形成し、さらに正面板の下端にはカギを設けたことを特徴とする繋ぎ部材。
【請求項５】
部屋の壁面と床面との境界に取付けられて、下端（底面）には床面から所定の高さに支持部材にて支持された巾木であって、巾木が垂直交わるコーナー部に取付けられ、該コーナー部に生じる隙間や段差を被覆する為のコーナー部材において、該コーナー部材は互いに垂直を成して交わる正面板と上面板を有すカギ形とし、正面板の裏側には巾木正面に形成した凹溝に嵌る嵌入片を設け、該嵌入片の上面及び下面には凹溝上面と下面に食い込むことが出来るノコ歯を形成し、さらに正面板の下端にはカギを設けたことを特徴とするコーナー部材。
【請求項６】
部屋の壁面と床面との境界に取付けられる巾木であって、巾木が垂直に交わる入隅には入隅コーナー部材を取付け、出隅には出隅コーナー部材を取付け、また直線状に延びて突き合わされる巾木の継目部には繋ぎ部材を取付けた巾木装置において、巾木は下端（底面）に設けた篏合溝に支持部材を取付けて床面から所定の高さに支持され、上記継目部に取付けられて巾木間に生じる隙間や段差を被覆する繋ぎ部材は正面板と上面板から成るカギ形を有し、正面板の背面には後方へ延びる嵌入片を設け、正面板の下端にはカギを形成し、嵌入片は巾木正面に設けた凹溝に嵌め、上記カギは巾木下端に取付けた支持部材の係止片に係止し、コーナー部に取付けるコーナー部材は、互いに垂直を成して交わる正面板と上面板を有すカギ形とし、正面板の裏側には巾木正面に形成した凹溝に嵌る嵌入片を設け、該嵌入片の上面及び下面には凹溝上面と下面に食い込むことが出来るノコ歯を形成し、さらに正面板の下端には支持部材に設けた係止片に係止するカギを設けたことを特徴とする巾木装置。